(57)【要約】【課題】ヒータに過剰電流が流れるのを良好に抑制することを目的とする。【解決手段】画像形成装置（レーザプリンタ１）は、シート５を加熱する加熱部材２２と、加熱部材２２を加熱するヒータ３１と、加熱部材２２の温度を取得する温度センサ３２と、交流電源４０からの入力電圧を通電状態と非通電状態に切り替えてヒータに電流を供給するスイッチング回路５０と、制御部１００を備える。制御部は、印刷指令を受けた後であって、かつ、印刷処理を開始する前に、ヒータに電流を供給する第１通電処理と、印刷処理中において、温度センサでの検出結果に基づいてスイッチング回路の出力電流のデューティ比を設定して、ヒータに電流を供給する第２通電処理と、を実行可能であり、第１通電処理を開始する場合には、前回の第２通電処理を終了する際におけるデューティ比と、前回の第２通電処理を終了してからの経過時間とに基づいて、通電パターンを設定する。【選択図】図１
2019035870.tif 000002
【特許請求の範囲】
【請求項１】
シートを加熱する加熱部材と、
前記加熱部材を加熱するヒータと、
前記加熱部材の温度を取得する温度センサと、
交流電源からの入力電圧を通電状態と非通電状態に切り替えて前記ヒータに電流を供給するスイッチング回路と、
制御部と、を備え、
前記制御部は、
前記シートに画像を形成する印刷処理と、
印刷指令を受けた後であって、かつ、前記印刷処理を開始する前に、前記ヒータに電流を供給する第１通電処理と、
前記印刷処理中において、前記温度センサでの検出結果に基づいて前記スイッチング回路の出力電流のデューティ比を設定して、前記ヒータに電流を供給する第２通電処理と、を実行可能であり、
前記第１通電処理を開始する場合には、前回の第２通電処理を終了する際におけるデューティ比と、前回の第２通電処理を終了してからの経過時間とに基づいて、通電パターンを設定することを特徴とする画像形成装置。
【請求項２】
前記制御部は、前記第１通電処理を開始する場合において、前回の第２通電処理を終了する際におけるデューティ比が大きいほど、通電パターンのデューティ比を大きくすることを特徴とする請求項１に記載の画像形成装置。
【請求項３】
前記制御部は、前記第１通電処理を開始する場合において、前回の第２通電処理を終了してからの経過時間が短いほど、通電パターンのデューティ比を大きくすることを特徴とする請求項１または請求項２に記載の画像形成装置。
【請求項４】
前記制御部は、前記第１通電処理を開始する場合において、位相制御を実行することで、前記通電パターンを第１通電パターンに設定することを特徴とする請求項１から請求項３のいずれか１項に記載の画像形成装置。
【請求項５】
前記制御部は、前記第１通電処理を開始する場合において、波数制御を実行することで、前記通電パターンを第２通電パターンに設定することを特徴とする請求項１から請求項４のいずれか１項に記載の画像形成装置。
【請求項６】
前記ヒータは、フィラメントを有するランプであり、前記加熱部材を輻射熱で加熱することを特徴とする請求項１から請求項５のいずれか１項に記載の画像形成装置。
【発明の詳細な説明】
【技術分野】
【０００１】
本発明は、シートを加熱する加熱部材と、加熱部材を加熱するヒータとを備えた画像形成装置に関する。
【背景技術】
【０００２】
従来、定着ローラと、定着ローラ内に設けられるヒータと、ヒータ近傍の温度を検出する温度検出部と、を備えた画像形成装置が知られている（特許文献１参照）。この技術では、ヒータのインピーダンスが低温時に低下することによってヒータに過剰電流が流れるのを抑制すべく、温度検出部の検出結果に基づいて、投入電力を制限している。
【先行技術文献】
【特許文献】
【０００３】
【特許文献１】特開２００１−００５５３７号公報
【発明の概要】
【発明が解決しようとする課題】
【０００４】
しかしながら、従来技術では、ヒータ近傍の温度を検出する温度検出部での検出結果に基づいて制御を行うため、ヒータの実際の温度と、温度検出部での検出温度とに乖離が生じ、ヒータに過剰電流が流れるおそれがある。
【０００５】
そこで、本発明は、ヒータに過剰電流が流れるのを良好に抑制することを目的とする。
【課題を解決するための手段】
【０００６】
前記課題を解決するため、本発明に係る画像形成装置は、シートを加熱する加熱部材と、前記加熱部材を加熱するヒータと、前記加熱部材の温度を取得する温度センサと、交流電源からの入力電圧を通電状態と非通電状態に切り替えて前記ヒータに電流を供給するスイッチング回路と、制御部と、を備える。
前記制御部は、前記シートに画像を形成する印刷処理と、印刷指令を受けた後であって、かつ、前記印刷処理を開始する前に、前記ヒータに電流を供給する第１通電処理と、
前記印刷処理中において、前記温度センサでの検出結果に基づいて前記スイッチング回路の出力電流のデューティ比を設定して、前記ヒータに電流を供給する第２通電処理と、を実行可能であり、前記第１通電処理を開始する場合には、前回の第２通電処理を終了する際におけるデューティ比と、前回の第２通電処理を終了してからの経過時間とに基づいて、通電パターンを設定する。
【０００７】
この構成によれば、前回の第２通電処理を終了する際のデューティ比と、前回の第２通電処理を終了してからの経過時間とによって、第１通電処理の開始時のヒータの温度を推定することができるので、ヒータに過剰電流が発生しにくい通電パターンを選択することができる。
【発明の効果】
【０００８】
本発明によれば、ヒータに過剰電流が流れるのを良好に抑制することができる。
【図面の簡単な説明】
【０００９】
【図１】一実施形態に係るレーザプリンタの断面図である。
【図２】フィラメントの抵抗値と経過時間との関係を示すグラフである。
【図３】第１マップを示す図（ａ）と、第２マップを示す図（ｂ）と、第３マップを示す図（ｃ）である。
【図４】第１通電パターンを示す図（ａ）と、第２通電パターンを示す図（ｂ）である。
【図５】制御部の動作を示すフローチャートである。
【発明を実施するための形態】
【００１０】
次に本発明の一実施形態について図面を参照して説明する。
図１に示すように、レーザプリンタ１は、シート５に画像を形成する画像形成装置の一例であり、本体ケーシング２内に、給紙トレイ３および手差トレイ４と、プロセス部６と、定着部７と、スイッチング回路５０と、制御部１００とを備えて構成されている。シート５は、給紙トレイ３または手差トレイ４から、プロセス部６、定着部７を通過してレーザプリンタ１の外部まで矢印で示した搬送方向に搬送される。
【００１１】
プロセス部６は、シート５に現像剤像を形成する部分であり、スキャナ１０、現像カートリッジ１３、感光体ドラム１７、帯電器１８、転写ローラ１９等を含む。
【００１２】
スキャナ１０は、本体ケーシング２内の上部に配置されており、レーザ発光部（図示せず）、ポリゴンミラー１１、複数の反射鏡１２および複数のレンズ（図示せず）等を含む。スキャナ１０では、レーザ発光部から発射されたレーザ光を、ポリゴンミラー１１、反射鏡１２、図示しないレンズを介して一点鎖線で示すように感光体ドラム１７の表面上に走査する。
【００１３】
現像カートリッジ１３は、現像ローラ１４と、現像ローラ１４にトナーを供給する供給ローラ１５が設けられている。現像カートリッジ１３内には、トナーが収容されている。現像ローラ１４は感光体ドラム１７に対向して配置されている。現像カートリッジ１３内のトナーは、供給ローラ１５の回転により現像ローラ１４に供給され、現像ローラ１４に担持される。
【００１４】
感光体ドラム１７の上方には、帯電器１８が間隔を隔てて配置されている。また、感光体ドラム１７の下方には、転写ローラ１９が感光体ドラム１７に対向して配置されている。
【００１５】
感光体ドラム１７は、回転しながら帯電器１８によって例えば正極性に帯電される。そして、感光体ドラム１７は、スキャナ１０からのレーザ光により露光されて、表面に静電潜像が形成される。その後、感光体ドラム１７上の静電潜像に現像ローラ１４からトナーが供給されることによって感光体ドラム１７上に現像剤像が形成される。感光体ドラム１７上の現像剤像は、シート５が感光体ドラム１７と転写ローラ１９の間を通る間に、転写ローラ１９に印加される転写バイアスによって、シート５に転写される。
【００１６】
定着部７は、プロセス部６に対してシート５の搬送方向の下流側に配置されている。定着部７は、シート５を加熱する加熱部材２２と、加熱部材２２に押し付けられる加圧ローラ２３を備えてなる。加熱部材２２は、円筒状の定着ローラである。加熱部材２２の内部には、加熱部材２２を加熱するヒータ３１が設けられている。ヒータ３１としては、抵抗体であるフィラメントを有し、輻射熱によって加熱部材２２を加熱するハロゲンランプを採用することができる。スイッチング回路５０は、レーザプリンタ１の外部の交流電源４０に接続され、制御部１００によって通電状態と非通電状態に制御される。ヒータ３１は、スイッチング回路５０に接続され、制御部１００によって加熱部材２２の温度や電源環境などに応じて制御された電圧が入力される。定着部７は、加熱部材２２と加圧ローラ２３の間でシート５を挟持しながらヒータ３１によりシート５を加熱して現像剤像をシート５に定着させる。
【００１７】
また、定着部７は、加熱部材２２の温度を取得する温度センサ３２を備える。温度センサ３２は、加熱部材２２の表面と非接触で対向している。温度センサ３２で取得された温度は、制御部１００に出力される。
【００１８】
制御部１００は、ＣＰＵ、ＲＡＭ、ＲＯＭおよび入出力回路を備えており、外部のコンピュータから出力されてくる印刷指令と、温度センサ３２から出力されてくる情報と、ＲＯＭ等に記憶されたプログラムやデータに基づいて各種演算処理を行うことによって、制御を実行する。
【００１９】
制御部１００は、印刷処理と、第１通電処理と、第２通電処理と、を実行可能となっている。印刷処理は、シート５に画像を形成する処理である。詳しくは、印刷処理は、給紙トレイ３または手差トレイ４からシート５の供給を行うシート供給処理と、感光体ドラム１７を帯電させる帯電処理と、感光体ドラム１７を露光する露光処理と、感光体ドラム１７上の静電潜像に現像剤を供給する現像処理と、感光体ドラム１７上の現像剤像をシート５に転写させる転写処理と、シート５に現像剤像を定着させる定着処理を含んでいる。
【００２０】
本実施形態では、シート供給処理の開始によって印刷処理が開始され、定着処理の終了によって印刷処理が終了することとする。つまり、印刷指令において複数枚のシート５の印刷が指示されている場合には、最初の１枚目のシート５がピックアップされた際に印刷処理が開始され、最後のシート５に現像剤像が定着された際に印刷処理が終了することとする。
【００２１】
第１通電処理は、印刷指令を受けた後であって、かつ、印刷処理を開始する前に、ヒータ３１に電流を供給する処理である。
【００２２】
第２通電処理は、印刷処理中において、温度センサ３２での検出結果に基づいてヒータ３１に供給する電流のデューティ比を設定して、ヒータ３１に電流を供給する処理である。
【００２３】
制御部１００は、第１通電処理、第２通電処理において、通電状態と非通電状態からなる通電パターンを制御する。ここで通電パターンのデューティ比は、出力された電圧の実効値の、連続通電状態に対する比率である。
制御部１００は、第１通電処理を開始する場合には、前回の第２通電処理を終了する際におけるデューティ比と、前回の第２通電処理を終了してからの経過時間Ｔとに基づいて、通電パターンを設定する機能を有している。なお、以下の説明では、「前回の第２通電処理を終了する際におけるデューティ比」を、「終了時デューティ比Ｄ」とも称する。
【００２４】
終了時デューティ比Ｄは、第２通電処理の終了の際にフィラメントに流している電流値に対応している。そのため、終了時デューティ比Ｄが大きいほど、第２通電処理の終了の際のフィラメントの温度が高くなっているものと推測することができる。
【００２５】
また、前回の第２通電処理を終了してからの経過時間Ｔは、前回の第２通電処理を終了してからフィラメントの温度がどのくらい下がったかを知るための指標となる。そのため、経過時間Ｔが長いほど、第１通電処理を開始する際におけるフィラメントの温度が低くなっているものと推測することができる。
【００２６】
なお、ヒータ３１が有するフィラメントのインピーダンスは、フィラメントの温度が低いほど低くなる。そのため、前述の記載を言い換えると、終了時デューティ比Ｄが大きいほど、第２通電処理の終了の際のフィラメントのインピーダンスが高く、経過時間Ｔが長いほど、第１通電処理を開始する際におけるフィラメントのインピーダンスが低くなると推測することができる。フィラメントのインピーダンスが低い状態で、大きなデューティ比で通電を行うと、フィラメントに過剰電流が流れ、電源電圧の低下などを引起す場合がある。
【００２７】
図２は、フィラメントのインピーダンス（抵抗値）と経過時間Ｔとの関係を示すグラフである。このグラフより、経過時間Ｔが長いほど、フィラメントのインピーダンスが低くなっていくことが分かる。
【００２８】
制御部１００は、前述したように終了時デューティ比Ｄと経過時間Ｔを用いて通電パターンを設定することで、第１通電処理を開始する際におけるフィラメントの温度、つまりインピーダンスに応じた通電パターンを設定することが可能となっている。詳しくは、制御部１００は、終了時デューティ比Ｄと、経過時間Ｔと、図３（ａ）〜（ｃ）に示すマップとに基づいて、第１通電処理を開始する際にフィラメントに流す電流の制御を選択することで、通電パターンを設定する。
【００２９】
具体的に、制御部１００は、終了時デューティ比Ｄが１００％である場合には、図３（ａ）に示す第１マップを選択し、この第１マップと経過時間Ｔとに基づいて、第１位相制御、第２位相制御または波数制御を選択する。詳しくは、制御部１００は、第１マップに基づいて、経過時間Ｔが４秒以下の場合には波数制御を選択し、経過時間Ｔが４秒より長く、かつ、１０秒以下の場合には第２位相制御を選択し、経過時間Ｔが１０秒より長い場合には第１位相制御を選択する。
【００３０】
また、制御部１００は、終了時デューティ比Ｄが３０％以上１００％未満である場合には、図３（ｂ）に示す第２マップを選択し、この第２マップと経過時間Ｔとに基づいて、第１位相制御、第２位相制御または波数制御を選択する。詳しくは、制御部１００は、第２マップに基づいて、経過時間Ｔが３秒以下の場合には波数制御を選択し、経過時間Ｔが３秒より長く、かつ、９秒以下の場合には第２位相制御を選択し、経過時間Ｔが９秒より長い場合には第１位相制御を選択する。
【００３１】
また、制御部１００は、終了時デューティ比Ｄが３０％未満である場合には、図３（ｃ）に示す第３マップを選択し、この第３マップと経過時間Ｔとに基づいて、第１位相制御、第２位相制御または波数制御を選択する。詳しくは、制御部１００は、第３マップに基づいて、経過時間Ｔが２秒以下の場合には波数制御を選択し、経過時間Ｔが２秒より長く、かつ、６秒以下の場合には第２位相制御を選択し、経過時間Ｔが６秒より長い場合には第１位相制御を選択する。
【００３２】
各マップにおける波数制御と第２位相制御を切り替えるための閾値（４秒、３秒、２秒）は、終了時デューティ比Ｄが高くなるほど大きな値に設定されている。また、各マップにおける第１位相制御と第２位相制御を切り替えるための閾値（１０秒、９秒、６秒）は、終了時デューティ比Ｄが高くなるほど大きな値に設定されている。
【００３３】
なお、図３（ａ）〜（ｃ）の各マップに示す数値は、一例である。各マップに示す数値は、実験やシミュレーション等によって適宜設定することができる。
【００３４】
制御部１００は、第１位相制御または第２位相制御を選択した場合には、通電パターンを、図４（ａ）に示す第１通電パターンＰ１に設定する。言い換えると、制御部１００は、第１通電処理を開始する場合において、位相制御を実行することで、通電パターンを第１通電パターンＰ１に設定する。
【００３５】
ここで、第１通電パターンＰ１は、１つの正弦波に対応したパターンをいう。第１通電パターンＰ１は、正弦波のピーク値から外れた部分において通電するパターンであり、そのデューティ比は、約２０％程度である。制御部１００は、第１位相制御において、第１通電パターンＰ１が例えば４０回連続して繰り返されるような通電制御を実行する。
【００３６】
また、制御部１００は、第２位相制御においては、第１通電パターンＰ１が例えば２０回連続して繰り返されるような通電制御を実行する。つまり、制御部１００は、第２位相制御においては、第１位相制御よりも短い時間の間、第１通電パターンＰ１を用いた通電を行う。
【００３７】
制御部１００は、波数制御を選択した場合には、通電パターンを、図４（ｂ）に示す第２通電パターンＰ２に設定する。言い換えると、制御部１００は、第１通電処理を開始する場合において、波数制御を実行することで、通電パターンを第２通電パターンＰ２に設定する。
【００３８】
ここで、第２通電パターンＰ２は、１つの正弦波に対応したパターンをいう。第２通電パターンＰ２は、正弦波のうち半波に対応した部分において通電するパターンであり、そのデューティ比は、約５０％程度である。本実施形態においては、第２通電パターンＰ２として、正弦波のうち正の半波に対応した部分において通電するパターンを用いている。制御部１００は、波数制御を所定時間の間実行する。
【００３９】
図３（ａ）〜（ｃ）に示すように、経過時間Ｔの条件が同じ条件の場合には、終了時デューティ比Ｄの大きさの違いによって、選択される制御が異なるようになっている。例えば、経過時間Ｔの条件を３秒と同じ条件に揃えた場合においては、終了時デューティ比Ｄが３０％以上であると波数制御が選択され、終了時デューティ比Ｄが３０％未満であると第２位相制御が選択される。
【００４０】
言い換えると、経過時間Ｔの条件を３秒と同じ条件に揃えた場合においては、終了時デューティ比Ｄが３０％以上であるとデューティ比が約５０％程度の第２通電パターンＰ２が選択され、終了時デューティ比Ｄが３０％未満であるとデューティ比が約２０％程度の第１通電パターンＰ１が選択される。そのため、制御部１００は、第１通電処理を開始する際において、経過時間Ｔの条件が同じ条件の場合には、終了時デューティ比Ｄが大きいほど、通電パターンのデューティ比を大きくしている。
【００４１】
また、終了時デューティ比Ｄの条件が同じ条件の場合には、経過時間Ｔの長さの違いによって、選択される制御が異なるようになっている。例えば、終了時デューティ比Ｄの条件を１００％と同じ条件に揃えた場合においては、経過時間Ｔが４秒以下であると波数制御が選択され、経過時間Ｔが４秒より長いと第２位相制御または第１位相制御が選択される。そのため、制御部１００は、第１通電処理を開始する場合において、経過時間Ｔが短いほど、通電パターンのデューティ比を大きくしている。
【００４２】
次に、制御部１００の動作について詳細に説明する。
図５に示すように、制御部１００は、印刷指令を受信したか否かを判断する（Ｓ１）。ステップＳ１において印刷指令を受信していないと判断した場合には（Ｎｏ）、制御部１００は、本制御を終了する。
【００４３】
ステップＳ１において印刷指令を受信したと判断した場合には（Ｙｅｓ）、制御部１００は、前回の第２通電処理を終了した時刻からの経過時間Ｔを算出する（Ｓ２）。ステップＳ２の後、制御部１００は、終了時デューティ比Ｄが１００％であるか否かを判断する（Ｓ３）。なお、前回の第２通電処理を終了した時刻と終了時デューティ比Ｄは、前回の第２通電処理の終了の際において、ＲＡＭ等の記憶部に記憶されている。
【００４４】
ステップＳ３においてＤ＝１００％であると判断した場合には（Ｙｅｓ）、制御部１００は、第１マップを選択し、第１マップと経過時間Ｔとに基づいて、第１位相制御、第２位相制御または波数制御を選択する（Ｓ４）。ステップＳ３においてＤ＝１００％でないと判断した場合には（Ｎｏ）、制御部１００は、終了時デューティ比Ｄが３０％以上１００％未満であるか否かを判断する（Ｓ５）。
【００４５】
ステップＳ５において３０％≦Ｄ＜１００％であると判断した場合には（Ｙｅｓ）、制御部１００は、第２マップを選択し、第２マップと経過時間Ｔとに基づいて、第１位相制御、第２位相制御または波数制御を選択する（Ｓ６）。ステップＳ５において３０％≦Ｄ＜１００％でないと判断した場合には（Ｎｏ）、制御部１００は、第３マップを選択し、第３マップと経過時間Ｔとに基づいて、第１位相制御、第２位相制御または波数制御を選択する（Ｓ７）。
【００４６】
ステップＳ４，Ｓ６，Ｓ７の後、制御部１００は、選択した制御で第１通電処理を実行する（Ｓ８）。第１通電処理の終了後、制御部１００は、温度センサ３２による温度検出を開始して（Ｓ９）、検出した温度に基づいて第２通電処理を開始する（Ｓ１０）。
【００４７】
ステップＳ１０の後、画像形成の実行を可能とする所定条件、例えば定着温度の条件などが満たされると、制御部１００は、印刷処理を実行する（Ｓ１１）。印刷処理の終了後、制御部１００は、第２通電処理を終了する（Ｓ１２）。ステップＳ１２の後、制御部１００は、今回の第２通電処理の終了の際における終了時デューティ比Ｄと、今回の第２通電処理の終了時刻とを記憶部に記憶させて（Ｓ１３）、本制御を終了する。
【００４８】
次に、制御部１００の動作の一例について説明する。
図３（ａ）に示すように、第１通電制御を開始する際において、終了時デューティ比Ｄが１００％で、経過時間Ｔが４秒以下である場合には、フィラメントの温度が高く、インピーダンスも高いため、制御部１００は、波数制御によってフィラメントに通電を行う。これにより、フィラメントの温度を迅速に上昇させて、印刷処理を早いタイミングで行うことができる。
【００４９】
また、第１通電制御を開始する際において、終了時デューティ比Ｄが１００％で、経過時間Ｔが４秒より長い場合には、フィラメントの温度が低く、インピーダンスも低いため、制御部１００は、第２位相制御または第１位相制御によってフィラメントに通電を行う。これにより、第１通電パターンＰ１、つまり正弦波のピークから外れた部分において通電するパターンによってフィラメントへの通電が行われるので、フィラメントに過剰電流が流れるのを抑えることができる。なお、第１位相制御が選択される状況では、第２位相制御が選択される状況よりもフィラメントの温度が低く、インピーダンスも低いため、制御部１００は、第２位相制御のときよりも長い時間の間、第１位相制御を実行する。そのため、第２位相制御のときよりもフィラメントのインピーダンスが所定の値まで回復するのに時間がかかる第１位相制御においても、フィラメントに過剰電流が流れるのを良好に抑えることができる。
【００５０】
以上によれば、本実施形態において以下のような効果を得ることができる。
レーザプリンタ１は、加熱部材２２と、ヒータ３１と、温度センサ３２と、ヒータ３１に電流を供給するスイッチング回路５０と、制御部１００と、を備える構成とすることができる。制御部１００は、シート５に画像を形成する印刷処理と、印刷指令を受けた後であって、かつ、印刷処理を開始する前に、ヒータ３１に電流を供給する第１通電処理と、印刷処理中において、温度センサ３２での検出結果に基づいてスイッチング回路５０の出力電流のデューティ比を設定して前記ヒータに電流を供給する第２通電処理と、を実行可能である。制御部１００は、第１通電処理を開始する場合には、終了時デューティ比Ｄと、前回の第２通電処理を終了してからの経過時間Ｔとに基づいて、通電パターンを設定する。これによれば、第１通電処理の開始時のヒータ３１のフィラメントの温度を推定することができるので、フィラメントに過剰電流が発生しない通電パターンを選択することができる。
【００５１】
制御部１００は、第１通電処理を開始する場合には、終了時デューティ比Ｄが大きいほど、第１通電処理の開始時の通電パターンのデューティ比を大きくすることができる。これによれば、加熱部材２２を迅速に加熱することができる。
【００５２】
制御部１００は、前回の第２通電処理を終了してからの経過時間Ｔが短いほど、第１通電処理の開始時の通電パターンのデューティ比を大きくすることができる。これによれば、加熱部材２２を迅速に加熱することができる。
【００５３】
制御部１００は、第１通電処理を開始する場合には、位相制御を実行することができる。これによれば、フィラメントに過剰電流が発生するのをより抑えることができる。
【００５４】
なお、本発明は前記実施形態に限定されることなく、以下に例示するように様々な形態で利用できる。
【００５５】
シート５は、厚紙、はがき、薄紙などの用紙であってもよいし、ＯＨＰシートなどであってもよい。
【００５６】
前記実施形態では、加熱部材２２として円筒状の定着ローラを例示したが、本発明はこれに限定されず、加熱部材は、例えば、加圧部材との間でエンドレスベルトを挟むニップ板であってもよい。
【００５７】
前記実施形態では、ヒータ３１として、抵抗体であるフィラメントを有し、輻射熱によって加熱部材２２を加熱するハロゲンランプを例示したが、本発明はこれに限定されず、ヒータ３１は抵抗発熱体を有するセラミックヒータなどであり、熱伝導によって加熱部材２２を加熱するよう構成されていてもよい。
【００５８】
前記実施形態では、２種類の通電パターンを設定するように制御部１００を構成したが、本発明はこれに限定されず、制御部は、３種類以上の通電パターンを設定するように構成されていてもよい。
【００５９】
前記実施形態では、第１位相制御と第２位相制御とで同じ通電パターン（第１通電パターンＰ１）を設定したが、本発明はこれに限定されず、第１位相制御と第２位相制御とで異なる通電パターンを設定してもよい。この場合、例えば、第１位相制御で設定する通電パターンのデューティ比を、第２位相制御で設定する通電パターンのデューティ比よりも小さくして、第１位相制御の実行時間と第２位相制御の実行時間を同じにしてもよい。
【００６０】
前記実施形態では、レーザプリンタ１に本発明を適用したが、本発明はこれに限定されず、その他の画像形成装置、例えば複写機や複合機などに本発明を適用してもよい。
【００６１】
また、前記した実施形態および変形例で説明した各要素を、任意に組み合わせて実施してもよい。
【符号の説明】
【００６２】
１      レーザプリンタ
５      シート
２２    加熱部材
３１    ヒータ
３２    温度センサ
１００  制御部
【図１】
2019035870.tif 000003
【図２】
2019035870.tif 000004
【図３】
2019035870.tif 000005
【図４】
2019035870.tif 000006
【図５】
2019035870.tif 000007